【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
画像ブロックを符号化するための方法であって、
前記画像ブロックの輝度成分の低空間周波数バージョンを取得することと、
前記画像ブロックの前記取得された輝度成分を量子化することによって、前記画像ブロックの量子化輝度成分を取得することと、
前記画像ブロックの前記輝度成分と、前記画像ブロックの前記量子化輝度成分または前記画像ブロックの符号化された量子化輝度成分の復号されたバージョンのいずれかとの間の差を計算することによって、差分輝度成分を取得することと、
前記画像ブロックの前記輝度成分を符号化するためのブロックベースの空間周波数変換から通常取得される周波数係数のセットのうちの少なくとも１つの周波数係数を使用して、前記画像ブロックの前記量子化輝度成分を符号化することと、
前記周波数係数のセットのうちの残りの周波数係数を使用して、前記差分輝度成分を符号化することと、
を含む、前記方法。
【請求項２】
前記画像ブロックの少なくとも１つの色成分を取得することと、
前記画像ブロックの各色成分を符号化することと、
をさらに含む、請求項１に記載の方法。
【請求項３】
前記画像ブロックの前記輝度成分は、その値が知覚空間の２つの点の視覚的知覚間の差を表すメトリックを有する前記知覚空間に属し、前記メトリックは、知覚閾値が存在するように定義され、前記知覚閾値未満では、人間は、前記知覚空間の２つの色の間の視覚的差異を知覚することができず、前記方法は、前記差分輝度成分を符号化することの前に、
前記画像ブロックの表示される復号されたバージョンにおける視覚的ロスの制御を可能にする前記メトリックの上限に依存する変換に従って、前記差分輝度成分を変換することによって、変換された差分輝度成分を取得すること
をさらに含む、請求項１または２に記載の方法。
【請求項４】
前記画像ブロックの各色成分は、その値が知覚空間の２つの点の視覚的知覚間の差を表すメトリックを有する前記知覚空間に属し、前記メトリックは、知覚閾値が存在するように定義され、前記知覚閾値未満では、人間は、前記知覚空間の２つの色の間の視覚的差異を知覚することができず、前記方法は、前記画像ブロックの各色成分を符号化することの前に、
前記画像ブロックの表示される復号されたバージョンにおける視覚的ロスの制御を可能にする前記メトリックの上限に依存する変換に従って、前記画像ブロックの各色成分を変換することによって、少なくとも１つの変換された色成分を取得すること
をさらに含む、請求項２または３に記載の方法。
【請求項５】
前記上限は、前記符号化された画像ブロックの復号されたバージョンの表示の基準照明条件に従って、かつ、前記画像ブロックの前記量子化輝度成分または前記画像ブロックの前記符号化された量子化輝度成分の復号されたバージョンのいずれかに従って、決定される、請求項３または４に記載の方法。
【請求項６】
前記上限は、前記画像ブロックの前記量子化輝度成分または前記画像ブロックの前記符号化された量子化輝度成分の復号されたバージョンのいずれかの輝度値の、最大環境輝度値に対する割合から決定される、請求項５に記載の方法。
【請求項７】
前記変換は、前記上限を用いた、前記差分輝度成分と潜在的には各色成分との正規化である、請求項４〜６のいずれか一項に記載の方法。
【請求項８】
前記画像ブロックの前記取得された輝度成分の元のダイナミックレンジは、前記画像ブロックの前記取得された輝度成分を量子化する前に低減され、前記画像ブロックの前記量子化輝度成分または前記画像ブロックの前記符号化された量子化輝度成分の復号されたバージョンのいずれかのダイナミックレンジは、前記差分輝度成分および前記上限を計算することの前に、前記元のダイナミックレンジを達成するために増加される、請求項１〜７のいずれか一項に記載の方法。
【請求項９】
前記画像ブロックの前記量子化輝度成分は、ロスレス符号化される、請求項１〜８のいずれか一項に記載の方法。
【請求項１０】
前記差分輝度成分または前記変換された差分輝度成分は、ターゲットとされるダイナミックレンジ以下のダイナミックレンジを有する差分輝度成分または変換された差分輝度成分を達成するために削減される、請求項３〜９のいずれか一項に記載の方法。
【請求項１１】
画像を符号化するための方法であって、
前記画像から少なくとも１つの画像ブロックを取得することと、
請求項１〜１０のいずれか一項に準拠する方法に従って、各画像ブロックを符号化することと、
を含む、前記方法。
【請求項１２】
前記少なくとも１つの画像ブロックは、基準が達成されないまで画像ブロックを再帰的に分割することによって取得される、請求項１１に記載の方法。
【請求項１３】
画像ブロックの輝度成分を表すビットストリームを復号するための方法であって、
前記ビットストリームの少なくとも部分的な復号によって取得される周波数係数のセットを取得することであって、前記周波数係数のセットは、復号されるべき前記画像ブロックのブロックベースの空間周波数変換に関連する、取得することと、
前記周波数係数のセットを周波数係数の２つのサブセットに分離することであって、一方のサブセットは、輝度成分の低空間周波数バージョンの推定値を表し、他方のサブセットは、差分輝度成分の推定値を表す、分離することと、
前記低空間周波数バージョンの推定値と前記差分輝度成分の推定値とを加算して、前記画像ブロックの推定値を得ることと、
を含む、前記方法。
【請求項１４】
ビットストリームから画像を復号するための方法であって、
前記ビットストリームの少なくとも部分的な復号によって、復号されるべき画像の少なくとも１つの画像ブロックに関連するデータを取得することと、
請求項１３に準拠する方法に従って、各画像ブロックを復号することと、
を含む、前記方法。
【請求項１５】
画像ブロックを符号化するためのデバイスであって、
前記画像ブロックの輝度成分の低空間周波数バージョンを取得し、
前記画像ブロックの前記取得された輝度成分を量子化することによって、前記画像ブロックの量子化輝度成分を取得し、
前記画像ブロックの前記輝度成分と、前記画像ブロックの前記量子化輝度成分または前記画像ブロックの前記符号化された量子化輝度成分の復号されたバージョンのいずれかとの間の差を計算することによって、差分輝度成分を取得し、
前記画像ブロックの前記輝度成分を符号化するためのブロックベースの空間周波数変換から通常取得される周波数係数のセットのうちの少なくとも１つの周波数係数を使用して、前記画像ブロックの前記量子化輝度成分を符号化し、
前記周波数係数のセットのうちの残りの周波数係数上で、前記差分輝度成分を符号化する、
ために構成されたプロセッサを備える、前記デバイス。
【請求項１６】
画像ブロックの輝度成分を表すビットストリームを復号するためのデバイスであって、
前記ビットストリームの少なくとも部分的な復号によって取得される周波数係数のセットを取得し、前記周波数係数のセットは、復号されるべき前記画像ブロックのブロックベースの空間周波数変換に関連し、
前記周波数係数のセットを周波数係数の２つのサブセットに分離し、一方のサブセットは、輝度成分の低空間周波数バージョンの推定値を表し、他方のサブセットは、差分輝度成分の推定値を表し、
前記低空間周波数バージョンの推定値と前記差分輝度成分の推定値とを加算して、前記画像ブロックの推定値を得る、
ために構成されたプロセッサを備える、前記デバイス。
【手続補正２】
【補正対象書類名】明細書
【補正対象項目名】０３００
【補正方法】変更
【補正の内容】
【０３００】
多くの実装が説明されてきた。それにもかかわらず、様々な変更が行われ得ることが理
解されるであろう。例えば、異なる実装の要素が組み合わせられ、補完され、変更され、
または除去されて、他の実装が生成されてもよい。また、当業者は、開示されたものの代
わりに他の構造およびプロセスが使われてもよく、結果として得られる実装が、少なくと
も実質的に同じ機能を、少なくとも実質的に同じ手法で行って、開示された実装と少なく
とも実質的に同じ結果を実現することを理解するであろう。したがって、これらの実装お
よび他の実装は、この出願によって予期される。
［付記１］
画像ブロックを符号化するための方法であって、
前記画像ブロックの輝度成分の低空間周波数バージョン（Ｌlf）を取得するステップ（１０１）と、前記画像ブロックの前記取得された輝度成分、
前記画像ブロックの前記取得された輝度成分（Ｌlf）を量子化すること（１０２）によって、前記画像ブロックの量子化輝度成分（Ｌlf,Q）を取得するステップと、
前記画像ブロックの前記輝度成分（Ｌ）と、前記画像ブロックの前記量子化輝度成分（Ｌlf,Q）または前記画像ブロックの符号化された量子化輝度成分の復号されたバージョン
【数６２】
2017500814.tif 000001
のいずれかとの間の差を計算することによって、差分輝度成分（Ｌr）を取得するステップ（１０３）と、
前記画像ブロックの前記輝度成分を符号化するためのブロックベースの空間周波数変換から通常取得される周波数係数のセットのうちの少なくとも１つの周波数係数を使用して、前記画像ブロックの前記量子化輝度成分（Ｌlf,Q）を符号化するステップ（１０４）と、
前記周波数係数のセットのうちの残りの周波数係数を使用して、前記差分輝度成分（Ｌr）を符号化するステップ（１０５）と、
を含む、前記方法。
［付記２］
前記画像ブロックの少なくとも１つの色成分（Ｃ（ｉ））を取得するステップ（１００）と、
前記画像ブロックの各色成分を符号化するステップ（１０８）と、
をさらに含む、付記１に記載の方法。
［付記３］
前記画像ブロックの前記輝度成分は、その値が知覚空間の２つの点の視覚的知覚間の差を表すメトリックを有する前記知覚空間に属し、前記メトリックは、知覚閾値（ΔＥ0）が存在するように定義され、前記知覚閾値未満では、人間は、前記知覚空間の２つの色の間の視覚的差異を知覚することができず、前記方法は、前記差分輝度成分（Ｌr）を符号化するステップ（１０５）の前に、
前記画像ブロックの表示される復号されたバージョンにおける視覚的ロスの制御を可能にする前記メトリックの上限（ΔＥ）に依存する変換（Ｔ）に従って、前記差分輝度成分（Ｌr）を変換すること（１０９）によって、変換された差分輝度成分を取得するステップ
をさらに含む、付記１または２に記載の方法。
［付記４］
前記画像ブロックの各色成分は、その値が知覚空間の２つの点の視覚的知覚間の差を表すメトリックを有する前記知覚空間に属し、前記メトリックは、知覚閾値（ΔＥ0）が存在するように定義され、前記知覚閾値未満では、人間は、前記知覚空間の２つの色の間の視覚的差異を知覚することができず、前記方法は、前記画像ブロックの各色成分を符号化するステップ（１０８）の前に、
前記画像ブロックの表示される復号されたバージョンにおける視覚的ロスの制御を可能にする前記メトリックの上限（ΔＥ）に依存する変換（Ｔ）に従って、前記画像ブロックの各色成分（Ｃ（ｉ））を変換すること（１０９）によって、少なくとも１つの変換された色成分を取得するステップ
をさらに含む、付記２または３に記載の方法。
［付記５］
前記上限（ΔＥ）は、前記符号化された画像ブロックの復号されたバージョンの表示の基準照明条件に従って、かつ、前記画像ブロックの前記量子化輝度成分（Ｌlf,Q）または前記画像ブロックの前記符号化された量子化輝度成分の復号されたバージョン
【数６３】
2017500814.tif 000002
のいずれかに従って、決定される、付記３または４に記載の方法。
［付記６］
前記上限（ΔＥ）は、前記画像ブロックの前記量子化輝度成分（Ｌlf,Q）または前記画像ブロックの前記符号化された量子化輝度成分の復号されたバージョン
【数６４】
2017500814.tif 000003
のいずれかの輝度値（ＹQ）の、最大環境輝度値（Ｙn）に対する割合から決定される、付記５に記載の方法。
［付記７］
前記変換（１０９）は、前記上限（ΔＥ）を用いた、前記差分輝度成分（Ｌr）と潜在的には各色成分との正規化である、付記４〜６のいずれか一項に記載の方法。
［付記８］
前記画像ブロックの前記取得された輝度成分（Ｌlf）の元のダイナミックレンジは、前記画像ブロックの前記取得された輝度成分（Ｌlf）を量子化する前に低減され（１０６）、前記画像ブロックの前記量子化輝度成分（Ｌlf,Q）または前記画像ブロックの前記符号化された量子化輝度成分の復号されたバージョン
【数６５】
2017500814.tif 000004
のいずれかのダイナミックレンジは、前記差分輝度成分（Ｌr）および前記上限（ΔＥ）
を計算するステップ（１０３）の前に、前記元のダイナミックレンジを達成するために増加される、付記１〜７のいずれか一項に記載の方法。
［付記９］
前記画像ブロックの前記量子化輝度成分（Ｌlf,Q）は、ロスレス符号化される（１０４）、付記１〜８のいずれか一項に記載の方法。
［付記１０］
前記差分輝度成分（Ｌr）または前記変換された差分輝度成分（ＬrT）は、ターゲットとされるダイナミックレンジ（ＴＤＲ）以下のダイナミックレンジを有する差分輝度成分（Ｌr）または変換された差分輝度成分（ＬrT）を達成するために削減される、付記３〜９のいずれか一項に記載の方法。
［付記１１］
画像を符号化するための方法であって、
前記画像から少なくとも１つの画像ブロックを取得するステップと、
付記１〜１０のいずれか一項に準拠する方法に従って、各画像ブロックを符号化するステップ（１）と、
を含む、前記方法。
［付記１２］
前記少なくとも１つの画像ブロックは、基準が達成されないまで画像ブロックを再帰的に分割することによって取得される、付記１１に記載の方法。
［付記１３］
画像ブロックの輝度成分を表すビットストリームを復号するための方法であって、
前記ビットストリームの少なくとも部分的な復号によって取得される周波数係数のセットを取得するステップ（７０）であって、前記周波数係数のセットは、復号されるべき前記画像ブロックのブロックベースの空間周波数変換に関連する、取得するステップと、
前記周波数係数のセットを周波数係数の２つのサブセットに分離するステップ（７１）
であって、一方のサブセットは、輝度成分の低空間周波数バージョンの推定値
【数６６】
2017500814.tif 000005
を表し、他方のサブセットは、差分輝度成分の推定値
【数６７】
2017500814.tif 000006
を表す、分離するステップと、
前記低空間周波数バージョンの推定値
【数６８】
2017500814.tif 000007
と前記差分輝度成分の推定値
【数６９】
2017500814.tif 000008
とを加算して（７４）、前記画像ブロックの推定値を得るステップと、
を含む、前記方法。
［付記１４］
ビットストリームから画像を復号するための方法であって、
前記ビットストリームの少なくとも部分的な復号によって、復号されるべき画像の少なくとも１つの画像ブロックに関連するデータを取得するステップと、
付記１３に準拠する方法に従って、各画像ブロックを復号するステップ（２）と、
を含む、前記方法。
［付記１５］
画像ブロックを符号化するためのデバイスであって、
前記画像ブロックの輝度成分の低空間周波数バージョン（Ｌlf）を取得し（ＬＦ）、前記画像ブロックの前記取得された輝度成分、
前記画像ブロックの前記取得された輝度成分（Ｌlf）を量子化すること（Ｑ）によって
、前記画像ブロックの量子化輝度成分を取得し、
前記画像ブロックの前記輝度成分（Ｌ）と、前記画像ブロックの前記量子化輝度成分（Ｌlf,Q）または前記画像ブロックの前記符号化された量子化輝度成分の復号されたバージョン
【数７０】
2017500814.tif 000009
のいずれかとの間の差を計算することによって、差分輝度成分（Ｌr）を取得し、
前記画像ブロックの前記輝度成分を符号化するためのブロックベースの空間周波数変換から通常取得される周波数係数のセットのうちの少なくとも１つの周波数係数を使用して、前記画像ブロックの前記量子化輝度成分（Ｌlf,Q）を符号化し（ＤＣ）、
前記周波数係数のセットのうちの残りの周波数係数上で、前記差分輝度成分（Ｌr）を
符号化する（ＡＣ）、
ために構成されたプロセッサを備える、前記デバイス。
［付記１６］
画像ブロックの輝度成分を表すビットストリームを復号するためのデバイスであって、
前記ビットストリームの少なくとも部分的な復号によって取得される周波数係数のセットを取得し（ＤＥＣ１）、前記周波数係数のセットは、復号されるべき前記画像ブロックのブロックベースの空間周波数変換に関連し、
前記周波数係数のセットを周波数係数の２つのサブセットに分離し（ＳＰ）、一方のサブセットは、輝度成分の低空間周波数バージョンの推定値
【数７１】
2017500814.tif 000010
を表し、他方のサブセットは、差分輝度成分の推定値
【数７２】
2017500814.tif 000011
を表し、
前記低空間周波数バージョンの推定値
【数７３】
2017500814.tif 000012
と前記差分輝度成分の推定値
【数７４】
2017500814.tif 000013
とを加算して、前記画像ブロックの推定値を得る、
ために構成されたプロセッサを備える、前記デバイス。